(57)【要約】【課題】従来より知られる積み重ね可能な容器は、美観、操作、保管、及び運搬の制限を有する。【解決手段】宝石類を展示、保管、及び運搬するための積み重ねタワー組立体は、下部積み重ねユニット、中間積み重ねユニット、及びカバー積み重ねユニットを含む。下部積み重ねユニットは、底面壁、連続側面壁、及び、連続側面壁の内部表面上に設置された凹部を有する。壁は、第１保管区画を形成する。中間積み重ねユニットは、底面壁、連続側面壁、連続側面壁の内部表面上に設置された凹部、及びロック要素を有し底面壁から延在するフランジを有している。中間積み重ねユニットの壁は、第２保管区画を形成する。カバー積み重ねユニットは、頂部壁、及び頂部壁から延在する、ロック要素を有するフランジを有する。下部積み重ねユニット、中間積み重ねユニット、及びカバー積み重ねユニットは、一体構造を形成するように、取り外し可能なように接続されている。【選択図】図１
2009029516.tif 000002
【特許請求の範囲】
【請求項１】
宝石類を展示、保管、及び運搬するための積み重ねタワー組立体であって、
底面壁、連続側面壁、及び、該連続側面壁の内部表面上に設置された凹部を有する下部積み重ねユニットであって、前記壁は、第１保管区画を形成している下部積み重ねユニットと、
底面壁、連続側面壁、該連続側面壁の内部表面上に設置された凹部、及びロック要素を有し前記底面壁から延在するフランジを有している、少なくとも１つの中間積み重ねユニットであって、該中間積み重ねユニットの壁は、第２保管区画を形成している中間積み重ねユニットと、
頂部壁、及びロック要素を有し前記頂部壁から延在するフランジを有しているカバー積み重ねユニットと、
を備え、
前記下部積み重ねユニット、前記少なくとも１つの中間積み重ねユニット、及び前記カバー積み重ねユニットは、互いに取り外し可能なように接続され、一体構造を形成していることを特徴とする積み重ねタワー組立体。
【請求項２】
前記下部積み重ねユニット及び前記少なくとも１つの中間積み重ねユニットは、前記中間積み重ねユニット及び前記下部積み重ねユニットの１つを捻る、及び捻り戻すことによって、互いに取り外し可能なように接続され、よって、前記中間ユニットの前記ロック要素が、前記下部積み重ねユニットの前記凹部と係合する、及び前記下部積み重ねユニットの前記凹部から外れることを特徴とする請求項１に記載の積み重ねタワー組立体。
【請求項３】
前記少なくとも１つの中間積み重ねユニット及び前記カバー積み重ねユニットは、前記中間積み重ねユニット及び前記カバー積み重ねユニットの１つを捻る、及び捻り戻すことによって、互いに取り外し可能なように接続され、よって、前記カバー積み重ねユニットの前記ロック要素が、前記中間積み重ねユニットの前記凹部に係合する及び前記中間積み重ねユニットの前記凹部から外れることを特徴とする請求項１に記載の積み重ねタワー組立体。
【請求項４】
前記少なくとも１つの中間積み重ねユニットは、複数の中間積み重ねユニットであり、該複数の中間積み重ねユニットは、該複数の中間積み重ねユニットを捻る、及び捻り戻すことによって、互いに取り外し可能なように接続され、よって、１つのユニットの前記ロック要素が、別のユニットの前記凹部に係合する及び別のユニットの前記凹部から外れることを特徴とする請求項１に記載の積み重ねタワー組立体。
【請求項５】
前記カバー積み重ねユニットは鏡を含むことを特徴とする請求項１に記載の積み重ねタワー組立体。
【請求項６】
前記カバー積み重ねユニットは、前記鏡を覆うための保護部材を含むことを特徴とする請求項１に記載の積み重ねタワー組立体。
【請求項７】
円形の一体構造が形成されることを特徴とする請求項１に記載の積み重ねタワー組立体。
【請求項８】
前記保管区画は裏打ちされていることを特徴とする請求項１に記載の積み重ねタワー組立体。
【請求項９】
前記保管区画の中に配置することができる少なくとも１つの差込み部材をさらに備えていることを特徴とする請求項１に記載の積み重ねタワー組立体。
【請求項１０】
各々の積み重ねユニットの前記凹部はＬ字形状であることを特徴とする請求項１に記載の積み重ねタワー組立体。
【請求項１１】
各々の積み重ねユニットの前記ロック要素は、長方形形状のタブであることを特徴とする請求項１に記載の積み重ねタワー組立体。
【請求項１２】
複数の凹部が、各々の積み重ねユニットそれぞれの上に形成されていることを特徴とする請求項１に記載の積み重ねタワー組立体。
【請求項１３】
複数のロック要素が、各々の積み重ねユニットそれぞれの上に形成されていることを特徴とする請求項１に記載の積み重ねタワー組立体。
【請求項１４】
前記カバー積み重ねユニットは、両面鏡をさらに備えていることを特徴とする請求項１に記載の積み重ねタワー組立体。
【請求項１５】
前記カバー積み重ねユニットは、鏡及び該鏡を覆うための保護部材を含み、前記鏡及び前記保護部材は、スナップ式ファスナーによって接続されていることを特徴とする請求項１に記載の積み重ねタワー組立体。
【請求項１６】
宝石類を展示、保管、及び運搬するための積み重ねタワー組立体であって、
底面壁、連続側面壁、及び該連続側面壁の内部表面上に設置されているＬ字形状の凹部を有する下部積み重ねユニットであって、前記壁は第１保管区画を形成している下部積み重ねユニットと、
底面壁、連続側面壁、該連続側面壁の内部表面上に設置されているＬ字形状の凹部、及び長方形形状のタブを有し前記底面壁から延在するフランジを有している少なくとも１つの中間積み重ねユニットであって、該中間積み重ねユニットの壁は、第２保管区画を形成している少なくとも１つの中間積み重ねユニットと、
頂部壁、及び長方形形状のタブを有し前記頂部壁から延在するフランジを有しているカバー積み重ねユニットと、
を備え、
前記下部積み重ねユニット、前記少なくとも１つの中間積み重ねユニット、及び前記カバー積み重ねユニットは、取り外し可能なように接続され、一体構造を形成することを特徴とする積み重ねタワー組立体。
【請求項１７】
前記下部積み重ねユニット及び前記少なくとも１つの中間積み重ねユニットは、前記中間積み重ねユニット及び前記下部積み重ねユニットの１つを捻る、及び捻り戻すことによって、互いに取り外し可能なように接続され、よって、前記中間ユニットの前記ロック要素が、前記下部積み重ねユニットの前記凹部と係合する、及び前記下部積み重ねユニットの前記凹部から外れることを特徴とする請求項１６に記載の積み重ねタワー組立体。
【請求項１８】
前記少なくとも１つの中間積み重ねユニット及び前記カバー積み重ねユニットは、前記中間積み重ねユニット及び前記カバー積み重ねユニットの１つを捻る、及び捻り戻すことによって、互いに取り外し可能なように接続され、よって、前記カバー積み重ねユニットの前記ロック要素が、前記中間積み重ねユニットの前記凹部に係合する及び前記中間積み重ねユニットの前記凹部から外れることを特徴とする請求項１６に記載の積み重ねタワー組立体。
【請求項１９】
前記少なくとも１つの中間積み重ねユニットは、複数の中間積み重ねユニットであり、該複数の中間積み重ねユニットは、該複数の中間積み重ねユニットの１つを捻る、及び捻り戻すことによって、互いに取り外し可能なように接続され、よって、前記ロック要素が、別のユニットの前記凹部に係合する及び別のユニットの前記凹部から外れることを特徴とする請求項１６に記載の積み重ねタワー組立体。
【請求項２０】
宝石類を展示、保管、及び運搬するための積み重ねタワー組立体であって、
底面壁、連続側面壁、及び該連続側面壁の内部表面上に設置されているＬ字形状の凹部を有する下部積み重ねユニットであって、前記壁は第１保管区画を形成している下部積み重ねユニットと、
底面壁、連続側面壁、該連続側面壁の内部表面上に設置されているＬ字形状の凹部、及び長方形形状のタブを有し前記底面壁から延在するフランジを有している少なくとも１つの中間積み重ねユニットであって、該中間積み重ねユニットの壁は、第２保管区画を形成している少なくとも１つの中間積み重ねユニットと、
頂部壁、及び長方形形状のタブを有し前記頂部壁から延在するフランジを有しているカバー積み重ねユニットと、
を備え、
前記下部積み重ねユニット、前記少なくとも１つの中間積み重ねユニット、及び前記カバー積み重ねユニットは取り外し可能なように接続され、一体構造を形成し、
前記下部積み重ねユニット及び前記少なくとも１つの中間積み重ねユニットは、前記中間積み重ねユニット及び前記下部積み重ねユニットの１つを捻る、及び捻り戻すことによって、互いに取り外し可能なように接続され、よって、前記中間積み重ねユニットの前記ロック要素が前記下部積み重ねユニットの前記凹部と係合する、及び前記下部積み重ねユニットの前記凹部から外れ、かつ、
前記少なくとも１つの中間積み重ねユニット及び前記カバー積み重ねユニットは、該カバー積み重ねユニット及び前記中間積み重ねユニットを捻る、及び捻り戻すことによって、互いに取り外し可能なように接続され、よって、前記カバー積み重ねユニットの前記ロック要素が、前記中間積み重ねユニットの前記凹部に係合する及び前記中間積み重ねユニットの前記凹部から外れることを特徴とする積み重ねタワー組立体。
【発明の詳細な説明】
【技術分野】
【０００１】
本願は、宝石類を展示、保管、及び運搬するために構成された積み重ねタワー組立体に関する。
【背景技術】
【０００２】
数多くの積み重ね可能な容器が、宝石類を含む様々なアイテムの保管用に開発されている。
【０００３】
例えば、特許文献１は、複数のユニットを備えた積み重ね可能な箱を開示している。この開示においては、ユニットは、雄および雌ジョイントを互いに連結させることによって、互いに接続される。
【０００４】
別の例においては、特許文献２は、立方体または長方形の角柱を形成するように、閉じた状態に組立てることができるケース及びカバーを備えている、積み重ね可能な宝石箱を示している。閉じた状態においては、ケースは、指輪のような宝石類の要素の一部を受け入れるように、前方及び下方に傾斜しているパッドスリット（pad slit）を担持している、頂部が前方及び下方に傾斜している頂部ソケットを有している。カバーは、ケース及びパッドの頂部に一致するような、下方及び前方へ傾斜している底面を有している。閉じた状態においては、ケース上にカバーがある状態において、箱は立方体または長方形の角柱の形状である。カバーは取り去って、カバーの前面をケースの後面と同一平面にした状態で、ケースの底面と嵌め合わすことができる。よって、ケースの頂部において露出されたパッドは、宝石類のより良い展示のために、カバーがケースの頂部上にある場合よりも、より大きな角度で下方及び前方に傾斜する。
【０００５】
宝石箱を含む、積み重ね可能な容器の別の例は、特許文献３、特許文献４、特許文献５、特許文献６、特許文献７、および特許文献８を含んでいる。
【特許文献１】米国特許第１１９０２０３号明細書
【特許文献２】米国特許第３９４２６３２号明細書
【特許文献３】米国特許第５４０９１２８号明細書
【特許文献４】米国特許第４２８２９７５号明細書
【特許文献５】米国特許第５５１１６５３号明細書
【特許文献６】米国意匠特許第Ｄ４７４０２１号明細書
【特許文献７】米国意匠特許第Ｄ４８０２１１号明細書
【特許文献８】米国意匠特許第Ｄ４５５５５０号明細書
【発明の開示】
【発明が解決しようとする課題】
【０００６】
これら、従来より知られる積み重ね可能な容器は欠点を有している。例えば、これらの容器は、美観、操作、保管、及び運搬の制限を有している。
【０００７】
したがって、本願の目的は、展示、保管に好適であり、運搬時に使用することができる、積み重ねタワー組立体を提供することである。
【０００８】
本発明の更なる目的は、隣接する積み重ねユニットの、互いの偶発的な分解を防ぐのに十分な、ロック組立体を備えた積み重ねタワー組立体を提供することである。
【０００９】
よって、宝石類の展示、保管、及び運搬に好適な、改善された積み重ねタワー組立体に対する要求がある。
【課題を解決するための手段】
【００１０】
本願は、宝石類を展示、保管、及び運搬するために構成された積み重ねタワー組立体に関する。
【００１１】
本発明の所定の実施形態によると、宝石類を展示、保管、及び運搬するための積み重ねタワー組立体は、底面壁、連続側面壁、及び、連続側面壁の内部表面上に設置された凹部を有する下部積み重ねユニットを含んでいる。壁は、第１保管区画を形成している。少なくとも１つの中間積み重ねユニットが、底面壁、連続側面壁、連続側面壁の内部表面上に設置された凹部、及びロック要素を有し底面壁から延在することができる、フランジを有している。中間積み重ねユニットの壁は、第２保管区画を形成している。カバー積み重ねユニットは、頂部壁、及びロック要素を有し頂部壁から延在することができる、フランジを有している。下部積み重ねユニット、少なくとも１つの中間積み重ねユニット、及びカバー積み重ねユニットは、一体構造を形成するように、取り外し可能なように接続されている。
【００１２】
本発明の別の実施形態によると、宝石類を展示、保管、及び運搬するための積み重ねタワー組立体は、底面壁、連続側面壁、及び連続側面壁の内部表面上に設置されているＬ字形状の凹部を有する下部積み重ねユニットを含んでいる。壁は第１保管区画を形成している。少なくとも１つの中間積み重ねユニットは、底面壁、連続側面壁、連続側面壁の内部表面上に設置されているＬ字形状の凹部、及び長方形形状のタブを有し底面壁から延在することができるフランジを有している。中間積み重ねユニットの壁は、第２保管区画を形成している。カバー積み重ねユニットは、頂部壁、及び長方形形状のタブを有し頂部壁から延在することができるフランジを有している。下部積み重ねユニット、少なくとも１つの中間積み重ねユニット、及びカバー積み重ねユニットは、一体構造を形成するように、取り外し可能なように接続される。
【００１３】
本発明の更に別の実施形態によると、宝石類を保管したり運搬するための積み重ねタワー組立体は、底面壁、連続側面壁、及び連続側面壁の内部表面上に設置されているＬ字形状の凹部を有する下部積み重ねユニットを含んでいる。壁は第１保管区画を形成している。少なくとも１つの中間積み重ねユニットは、底面壁、連続側面壁、連続側面壁の内部表面上に設置されているＬ字形状の凹部、及び長方形形状のタブを有し底面壁から延在することができるフランジを有している。中間積み重ねユニットの壁は、第２保管区画を形成している。カバー積み重ねユニットは、頂部壁、及び長方形形状のタブを有し頂部壁から延在することができるフランジを有している。下部積み重ねユニット、少なくとも１つの中間積み重ねユニット、及びカバー積み重ねユニットは、一体構造を形成するように、取り外し可能なように接続される。下部積み重ねユニット及び少なくとも１つの中間積み重ねユニットは、中間積み重ねユニット及び下部積み重ねユニットの１つを捻る、及び捻り戻すことによって、互いに取り外し可能なように接続することができ、よって、中間積み重ねユニットのロック要素が下部積み重ねユニットの凹部と係合する、及び下部積み重ねユニットの凹部から外れる。少なくとも１つの中間積み重ねユニット及びカバー積み重ねユニットは、中間積み重ねユニット及びカバー積み重ねユニットの１つを捻る、及び捻り戻すことによって、互いに取り外し可能なように接続することができ、よって、カバー積み重ねユニットのロック要素が、中間積み重ねユニットの凹部に係合する及び中間積み重ねユニットの凹部から外れる。
【００１４】
本発明は、数多くの別の装置及び方法によって、具体化されることが可能である。本明細書に記載された記述は、添付の図面と併せて理解される場合に、本発明の実施例を開示する。本明細書で教示されたような、いくつか又は全てのステップを組み込んだ、別の実施形態もまた可能である。
【発明を実施するための最良の形態】
【００１５】
本願は、宝石類を展示、保管、及び運搬するために構成された積み重ねタワー組立体に関する。
【００１６】
図１は、本発明の所定の実施形態により用いることができるような積み重ねタワー組立体１０の分解図を示している。例えば、積み重ねタワー組立体１０は、下部積み重ねユニット２０、宝石保持部３２ａ，ｂを備えた一対の半円形差込み部材３０ａ，ｂ、中間積み重ねユニット４０、分離した区画を宝石類保管用に形成する仕切５２ａ，ｂを備えた一対の半円形差込み部材５０ａ，ｂ、及びカバー積み重ねユニット６０を含んでいる。
【００１７】
図１〜２に見ることができるように、下部積み重ねユニット２０は、底面壁２２、連続側面壁２４、及び連続側面壁２４の内部表面に設置された凹部２６を有している。壁２２，２４は、この事例においては、一対の半円形差込み部材３０ａ，ｂを受け入れるように、保管区画２８を形成している。例においては、下部積み重ねユニット２０は円形形状であり、凹部２６はＬ字形状である。示された例においては、４つの凹部２６が、側面壁２４の内部表面の周囲に等距離で離間しているが、しかし、任意の数の凹部を使用することができる。保管区画２８は、宝石類が損傷を受けることを防ぐことができる任意の材料で裏打ちされることができ、例えば、フェルトを使用することができる。
【００１８】
図２に目を向けると、この例は、下部積み重ねユニット２０が、カバー積み重ねユニット６０だけと共に、かつ、必要に応じて差込み部材３０ａ，ｂと共に使用することができることを示している。この配置は、旅行中のような、宝石物を運搬することに対して好適な場合がある。例えば、下部積み重ねユニット２０及びカバー積み重ねユニット６０は、手荷物の中で保管され、運搬することができる。
【００１９】
再び図１を参照すると、中間積み重ねユニット４０が、底面壁４２及び連続側面壁４４を有していることが示されている。壁４２，４４は、この事例においては、一対の半円形差込み部材５０ａ，ｂを受け入れるために、保管区画４３を形成している。凹部４６を連続側面壁４４の内部表面上に設置することができ、ロック要素４９を有するフランジ４８を、底面壁４２から延在させることができる。この例においては、フランジ４８は、底面壁４２から下方に延在している。フランジ４８上に設置されているロック要素４９は、長方形形状のタブとすることができる。示された例においては、フランジの周囲に等距離で離間している４つのタブが示されているが、しかし、任意の数のタブを使用することができる。例においては、中間積み重ねユニット４０は、円形形状であり、凹部４６はＬ字形状である。示された例においては、４つの凹部が、側面壁の内部表面の周囲に等距離で離間しているが、しかし、任意の数の凹部を使用することができる。保管区画４３は、宝石類が損傷を受けることを防ぐことができる任意の材料で裏打ちされることができる。
【００２０】
図３は、複数の中間積み重ねユニット４０ａ，ｂが、互いに取り外し可能に接続されている例を示しているが、しかし、本発明の所定の実施形態によって、任意の数の中間積み重ねユニット４０ａ，ｂを使用することができることが考えられる。
【００２１】
図４〜９は、本発明の所定の実施形態で使用することができるような、ロック組立体を示している。これらの例においては、１つの中間積み重ねユニット４０ａのロック要素４９が、別の中間積み重ねユニット４０ｂの凹部４６に係合する、及び別の中間積み重ねユニット４０ｂの凹部４６から外されることが示されている（図５〜６参照）。本明細書で検討されているように、別の配置も使用することができる。ロック要素４９及び凹部４６は組み合わされて、明細書の一部において、ロック組立体と呼ばれているものを形成している。
【００２２】
図示されたロック組立体を使用して、下部積み重ねユニット２０、中間積み重ねユニット４０、及びカバー積み重ねユニット６０は、一体構造を形成するように、様々な組合せで取り外し可能なように接続することができる。
【００２３】
図５及び７に示されているように、１つの積み重ねユニットを別の積み重ねユニットとロックするために、時計回り又は反時計回りに積み重ねユニットを捻る、及び捻り戻すことによって、１つの積み重ねユニット上のロック要素４９は、別の積み重ねユニット上の凹部４６と取り外し可能なように接続することができる。積み重ねユニットの１つは、捻る、または捻り戻され、よって、上部の積み重ねユニット上のロック要素４９が、下部積み重ねユニット上の凹部４６に係合する、及び下部積み重ねユニットの凹部４６から外れる。
【００２４】
例えば、図１に示されているように、中間積み重ねユニット４０は、下部積み重ねユニット２０の頂部に設置され、捻ることができ、よって、中間積み重ねユニット４０のロック要素４９は、下部積み重ねユニット２０の凹部２６と係合し、積み重ねユニットを互いに接続する。
【００２５】
図８〜９に示されているように、凹部４６は、Ｌ字形状とすることができ、また、長方形形状のロック要素４９上に設置された突起部４９ａを受け入れるためのノッチ４６ａを含むことができ、積み重ねユニットを互いにさらに固定していることが解る。
【００２６】
図１０〜１１は、カバー積み重ねユニット６０の上面図及び底面図を示している。カバー積み重ねユニット６０は、頂部壁６２、及びロック要素６６を有し頂部壁６２から延在するフランジ６４を有している。
【００２７】
頂部壁６２は、ハンドル６３を含むことができる。例においては、カバー積み重ねユニット６０は、円形形状であり、ロック要素６６は、長方形形状である。示された例においては、４つのロック要素６６が、フランジ６４の外部表面の周囲に等距離で離間しているが、しかし、任意の数のロック要素６６を使用することができる。
【００２８】
カバー積み重ねユニット６０は、両面鏡のような鏡６８もまた含むことができる。加えて、保護部材７０を鏡と接続することができる。示された例においては、保護部材７０は、スナップ式ファスナー（snap fastener）７２を介して鏡６８に接続されている。保護部材７０は、積み重ねタワー組立体１０または積み重ねタワー組立体の一部の展示、保管、及び運搬の間の、鏡６８への損傷を制限することができる。
【００２９】
本発明の所定の実施形態においては、下部及び中間積み重ねユニット２０，４０とカバー積み重ねユニットの１つを捻る、及び捻り戻すことによって、下部または中間積み重ねユニット２０，４０は、カバー積み重ねユニット６０と取り外し可能なように接続することができ、よって、カバー積み重ねユニット６０のロック要素６６は、下部または中間積み重ねユニット２０，４０の凹部２６，４６とそれぞれ係合する、及び下部または中間積み重ねユニット２０，４０の凹部２６，４６からそれぞれ外れる。
【００３０】
本発明は、特定の例及び好適な実施形態について記述されているが、本発明は、これらの例及び実施形態に制限されないことは理解される。それゆえ、請求の範囲に記載されているような本発明は、当業者には明らかなように、本明細書に記述された特定の例及び好適な実施形態からなる変形形態を含む。
【図面の簡単な説明】
【００３１】
【図１】本発明の所定の実施形態により用いることができる積み重ねタワー組立体の分解図である。
【図２】本発明の所定の実施形態と共に用いることができる下部積み重ねユニット及びカバー積み重ねユニットの分解図である。
【図３】本発明の所定の実施形態による、取り外し可能なように接続された２つの中間積み重ねユニットの立体図である。
【図４】本発明の所定の実施形態と共に用いることができるロック組立体の様々な図である。
【図５】本発明の所定の実施形態と共に用いることができるロック組立体の様々な図である。
【図６】本発明の所定の実施形態と共に用いることができるロック組立体の様々な図である。
【図７】本発明の所定の実施形態と共に用いることができる中間積み重ねユニットの立体図である。
【図８】図７のロック組立体の分解図である。
【図９】図７のロック組立体の分解図である。
【図１０】本発明の所定の実施形態により用いることができるカバー積み重ねユニットの上面図である。
【図１１】本発明の所定の実施形態により用いることができるカバー積み重ねユニットの底面図である。
【符号の説明】
【００３２】
１０    積み重ねタワー組立体
２０    下部積み重ねユニット
２２    底面壁
２４    連続側面壁
２６    凹部
２８    保管区画
３０ａ，ｂ    半円形差込み部材
３２ａ，ｂ    宝石保持部
４０    中間積み重ねユニット
４２    底面壁
４３    保管区画
４４    連続側面壁
４６    凹部
４６ａ    ノッチ
４８    フランジ
４９    ロック要素
４９ａ    突起部
５０ａ，ｂ    半円形差込み部材
５２ａ，ｂ    仕切
６０    カバー積み重ねユニット
６２    頂部壁
６３    ハンドル
６４    フランジ
６６    ロック要素
６８    鏡
７０    保護部材
７２    スナップ式ファスナー
【図１】
2009029516.tif 000003
【図２】
2009029516.tif 000004
【図３】
2009029516.tif 000005
【図４】
2009029516.tif 000006
【図５】
2009029516.tif 000007
【図６】
2009029516.tif 000008
【図７】
2009029516.tif 000009
【図８】
2009029516.tif 000010
【図９】
2009029516.tif 000011
【図１０】
2009029516.tif 000012
【図１１】
2009029516.tif 000013